(57)【要約】      （修正有）【課題】装着前後でスペック変化がなく、小型軽量であり、装着前後及び防振時の性能が良好な、防振コンバータレンズ群を有する光学系を提供する。【解決手段】防振機能を有するコンバータレンズ群ＩＳＣは下記条件式を満たす。｜fis/ｆ｜>2.5、｜(ol-ok−bkd)/ｆ｜<0.04、ただし、fis：防振コンバータレンズ群の焦点距離、f：主光学系の焦点距離、o1、ok、bkd：防振コンバータレンズ群の前側主点位置、後側主点位置、ブロック長。【選択図】図２
2015028555.tif 000002
【特許請求の範囲】
【請求項１】
防振機能を有するコンバータレンズ群を有し、該レンズ群が下記条件式を満たすことを特徴とする光学系。
｜fis/ｆ｜ > 2.5
｜(ol - ok − bkd)/ｆ｜ < 0.04
・fis：防振コンバータレンズ群の焦点距離
・f：主光学系の焦点距離
・o1、ok、bkd：防振コンバータレンズ群の前側主点位置、後側主点位置、ブロック長
【請求項２】
前記防振コンバータレンズ群を着脱可能な機構を有することを特徴とする、請求項1に記載の光学系。
【請求項３】
主光学系が、物体側より順に正の第１レンズ群、フォーカシングで駆動する負の第２レンズ群、正または負の最終レンズ群を有する３群以上から成り、最終レンズ群の物体側に前記防振コンバータレンズ群が挿入されることを特徴とする、請求項1または請求項2に記載の光学系。
【請求項４】
前記コンバータレンズ群が、物体側より順に、光軸に対して固定の偏芯収差補償レンズ群1、光軸の直行方向に偏芯するシフトレンズ群、光軸に対して固定の偏芯収差補償レンズ群2より構成されることを特徴とする、請求項1から請求項3のいずれかに１項に記載の光学系。
【請求項５】
前記コンバータレンズ群において、偏芯収差補償レンズ群1と２が同符号のパワーであり、シフトレンズ群が偏芯補償レンズ群１、２とは異符号のパワーであることを特徴とする、請求項４に記載の光学系。
【請求項６】
前記コンバータレンズ群において、下記条件式を満たすことを特徴とする請求項５に記載の光学系。
｜fisC1｜ > ｜fisC2｜
・  fisC1 ：偏芯収差補償レンズ群1の焦点距離
・  fisC2 ：偏芯収差補償レンズ群２の焦点距離
【請求項７】
前記偏芯収差補償レンズ群2は、2枚以下のレンズ要素で構成されることを特徴とする、請求項1から請求項６のいずれか１項に記載の光学系。
【請求項８】
請求項１から請求項７のいずれか１項に記載の光学系を有することを特徴とする光学機器。
【発明の詳細な説明】
【技術分野】
【０００１】
本発明は、防振機能を有するコンバータレンズ群を含む光学系に関し、例えば一眼レフカメラ・デジタルスチルカメラ、デジタルビデオカメラ等の撮影レンズに好適なものである。
【背景技術】
【０００２】
従来より、一眼レフカメラ等の撮影光学系では、手持ち撮影時の手ぶれによる像劣化を軽減する防振機能を有する光学系が要望されている。特に、長焦点距離の光学系においては、手ブレによる画角変動が大きくなるため、防振機能への要望が特に大きい。一方で長焦点距離の光学系は、小型軽量化も同時に要望されている。防振機能には、特許文献1に示すように、一部のレンズ群を光軸と直行方向に偏芯させることで防振を行う方法が最も広く用いられている。
【０００３】
このような防振機能を設けるには、光軸直行方向に偏芯するシフトレンズ群と、シフトレンズ群の偏芯収差を補正する偏芯収差補償レンズ群と、シフトレンズ群を駆動させるための機構を新たに設ける必要があり、光学系全体が重量化してしまう。そのため、防振機能を必要としない、例えば光学系を三脚等に固定して撮影する時には、防振機能は逆に煩わしいものとなり得る。そのため、特許文献2、特許文献3、特許文献4では、防振機能を有する着脱可能なコンバータレンズが報告されている。
【先行技術文献】
【特許文献】
【０００４】
【特許文献１】特開平05-224160号公報
【特許文献２】特開2002-082367号公報
【特許文献３】特開平11-258499号公報
【特許文献４】特開平07-168135号公報
【発明の概要】
【発明が解決しようとする課題】
【０００５】
特許文献2は、光学系の物体側に取り付けるタイプの防振コンバータレンズが紹介されている。長焦点距離の光学系は、最も物体側のレンズの外径が最も大きくなるため、その物体側にコンバータレンズを装着する場合、コンバータレンズの外径をより大きくする必要がある。そのため、コンバータレンズ自体が大型化し、携帯性を逸する上に、コンバータレンズ装着時に大幅な重量化を招くため、好ましくない。
【０００６】
特許文献3は、光学系の像側に取り付けるタイプの防振コンバータレンズが紹介されている。この方法では、コンバータレンズが小型軽量化できるが、装着時の全長が長くなってしまう上に、コンバータレンズ位置での軸外主光線高ｈ−が大きいため、防振時の軸外収差変動が大きくなってしまう。また、軸上光線高ｈが小さいため防振敏感度を得にくく、十分な防振敏感度を得ようとすると、コンバータレンズがパワーを持つ変倍効果を有する光学系となってしまう。
【０００７】
その場合、コンバータレンズを装着した際、防振機能が付加されるだけでなく、焦点距離やＦＮＯ等のスペックが変化してしまい、希望する仕様での撮影ができなくなってしまう。それに対し、特許文献4では、コンバータレンズ装着前の主光学系の最も像側のレンズを絞り付近の十分にｈが大きい位置とすることで、比較的ｈが大きい位置に防振コンバータを装着可能にしている。それにより、防振敏感度を得やすくなるため、コンバータレンズ自体を略ノンパワーにすることができ、装着前後でのスペック変化がなく使用できる。
【０００８】
ところがこの方法では、防振時の軸外収差を補正するために、防振コンバータレンズ内の偏芯収差補償群に多くの枚数を費やしており、防振コンバータレンズが重量化してしまう。また、光学断面図だけを見ると主光学系の後部に防振コンバータが装着されているように見えるが、実際に防振コンバータ系が配置される位置は、主光学系のマウント部よりも物体側であり、挿脱時にバックが変ってしまうため挿脱前後でフランジバックを再調整できる機能が不可欠となる。
【０００９】
よって、光学系保持機構まで考えると、この防振コンバータは、主光学系のマウント部に装着する形では実施できず、主光学系のマウント部まで含めた後部を交換する形でしか実施できないと言える。そのため、交換部品が大型重量化し、形態性を逸してしまう上に、コストアップを招いてしまう。
【００１０】
以上の問題を鑑み、本発明では、装着前後でスペック変化がなく、小型軽量であり、装着前後及び防振時の性能が良好な、防振コンバータレンズ群を有する光学系を得ることを目的としている。
【課題を解決するための手段】
【００１１】
防振機能を有するコンバータレンズ群を有し、該レンズ群が下記条件式を満たすことにより、課題を解決している。
【００１２】
｜fis/ｆ｜ > 2.5
｜(ol - ok − bkd)/ｆ｜ < 0.04
・fis：防振コンバータレンズ群の焦点距離
・f：主光学系の焦点距離
・o1、ok、bkd：防振コンバータレンズ群の前側主点位置、後側主点位置、ブロック長
【発明の効果】
【００１３】
本発明によれば、装着前後でスペック変化がなく、小型軽量であり、装着前後及び防振時の性能が良好な、防振コンバータレンズ群を有する光学系を得ることができる。
【００１４】
本発明は、ユーザーが用途により防振機能か軽量化かの選択可能な、防振コンバータを有する光学系として使用される以外に、防振機能を有する光学系と、防振機能がない軽量な光学系の2系統を大部分の部品を流用して併売できる商業的利点としても使用され得る。
【図面の簡単な説明】
【００１５】
【図１】本発明の実施形態1における、主光学系の断面図
【図２】本発明の実施形態1における、防振コンバータ装着時の断面図
【図３】本発明における数値実施例1の主光学系をｍｍ単位で表した時の、物体距離無限時における収差図
【図４】本発明における数値実施例1の防振コンバータ装着時の光学系をｍｍ単位で表した時の、物体距離無限時における収差図
【図５】本発明の実施形態2における、主光学系の断面図
【図６】本発明の実施形態2における、防振コンバータ装着時の断面図
【図７】本発明における数値実施例2の主光学系をｍｍ単位で表した時の、物体距離無限時における収差図
【図８】本発明における数値実施例2の防振コンバータ装着時の光学系をｍｍ単位で表した時の、物体距離無限時における収差図
【発明を実施するための形態】
【００１６】
本発明において、装着前後でスペック変化がなく、比較的小型軽量であり、装着前後、及び防振時の性能が良好な、防振コンバータレンズ群を有する光学系を得るに至った原理について説明する。装着前後でのスペック変化を無くすためには、防振コンバータレンズ群を略ノンパワーとし、変倍効果を無くす必要がある。十分な防振敏感度を得つつ、防振コンバータレンズ群を略ノンパワーとするには、特許文献4のように、装着位置を軸上光線高ｈが比較的大きい位置にする必要がある。
【００１７】
ところが特許文献4では、防振による軸外収差の劣化を補償するべく、防振コンバータレンズ群の像側に配置される偏芯収差補償群に多くの枚数を費やしており、大型重量化を招いていた。また、主光学系において、像側の軸外主光線高ｈ−が高い位置にレンズを配置していないため、主光学系の軸外収差が良好に補正されているとは言えなかった。
【００１８】
そこで本発明では、主光学系において、防振コンバータが装着される位置よりも像側にレンズ群を配置し、主光学系の軸外収差補正と防振時の偏芯収差補償を共に担当することで、防振コンバータ内の枚数軽減と、主光学系の高性能を両立できることを見出した。それは即ち、主光学系中のレンズ群間に、防振コンバータレンズ群が挿入される、挿入式防振コンバータという形になる。そうすることで、特許文献4のように主光学系のマウント部を含む後部を丸ごと交換する必要がなくなり、防振コンバータを小型軽量化できる。
【００１９】
但しこの時、防振コンバータの装着時も、主光学系のマウントが使用されるため、防振コンバータ装着前後で光学系のバックフォーカスを一致させる必要がある。
【００２０】
そこで本発明では、ノンパワーの防振コンバータの前側主点位置と後側主点位置を略一致させると、その近軸解が挿入前後で変化がなくなり、防振コンバータ挿入時のバックフォーカスを不変にできることを見出した。
【００２１】
本発明では以上のようにして、装着前後でスペック変化がなく、比較的小型軽量であり、装着前後、及び防振時の性能が良好な、防振コンバータレンズ群を有する光学系を得るに至った。
【００２２】
次に、本実施例の光学系における、最良の形態を述べる。
【００２３】
本発明の光学系は、主光学系と、主光学系中に着脱可能な防振コンバータレンズ群から成り、防振コンバータレンズ群は、条件式（1）及び（2）を満たしている。
【００２４】
｜fis/ｆ｜> 2.5                 ・・・（1）
｜(ol - ok − bkd)/ｆ｜ < 0.04   ・・・（2）
・fis：防振コンバータレンズ群の焦点距離
・f：主光学系の焦点距離
・o1、ok、bkd：防振コンバータレンズ群の前側主点位置、後側主点位置、ブロック長
条件式（1）は、防振コンバータ自体を略ノンパワーとし、防振コンバータ挿入前後でのスペック変化を極力小さくするための式である。条件式（1）の下限値を逸脱した場合、防振コンバータのパワーが強くなり、装着時の焦点距離やFNO等のスペックが変化してしまう。
【００２５】
また、条件式（2）は、防振コンバータの最も物体側のレンズ頂点位置から前側主点までの位置と、最も像側のレンズ頂点から後側主点位置を略一致させることを規定し、コンバータ挿入時のバックフォーカス変化を極力小さくするための式である。条件式（2）の上限値を逸脱すると、防振コンバータレンズ群の前側主点位置と後側主点位置に誤差が生じ、防振コンバータがノンパワーであったとしても、その主点位置間の誤差に応じてバックフォーカスがシフトし、合焦位置がずれてしまう。
【００２６】
条件式（1）、（2）は、より好ましくは（1’）、（2’）を満たすと良い。
【００２７】
｜fis/ｆ｜> 4.0                 ・・・（1’）
｜(ol - ok − bkd)/ｆ｜ < 0.025  ・・・（2’）
次に、本発明では、前記防振機能を有するコンバータレンズ群を取り外しが可能な機構を有することを特徴としている。
【００２８】
次に本発明を実施するためのより好ましい条件について説明する。本発明は、特に防振機能の要望と小型軽量化が同時に求められる長焦点距離の光学系に用いられることが好ましい。長焦点距離の光学系は、物体側より順に、正の第１レンズ群、フォーカスで駆動する負の第2レンズ群を有するテレフォトタイプと呼ばれる光学系が最も広く用いられている。
【００２９】
テレフォトタイプの光学系で本発明を実施するには、第2レンズ群の像側に１つ以上のレンズ群を設け、その最終レンズ群より物体側に防振コンバータレンズ群の挿入部を設けることが好ましい。
【００３０】
最終レンズ群が防振コンバータ挿入箇所よりも像側にあることで、主光学系の軸外収差補正効果と同時に防振時の偏芯収差補償効果を得られ、防振コンバータ内の偏芯補償群の枚数を減らし、小型軽量化することができる。
【００３１】
また、比較的ｈが大きい位置に防振コンバータを挿入できるため、防振コンバータレンズ群を略ノンパワーとしつつ、十分な防振敏感度を得やすくすることもできる。
【００３２】
次に、防振コンバータレンズ群は、物体側より順に、光軸に対して固定の偏芯収差補償レンズ群1、光軸の直行方向に偏芯するシフトレンズ群、光軸に対して固定の偏芯収差補償レンズ群2より構成されることが好ましい。それにより、偏芯収差補償レンズ群1、2では、それぞれシフトレンズ群よりもｈ、ｈ−が大きくなるため、軸上光束、軸外光束の偏芯収差を効果的に補正することができる。
【００３３】
更に、偏芯収差補償レンズ群1、２が同符号のパワーを有し、シフトレンズ群が前記偏芯補償レンズ群１、２とは異符号のパワーであると、シフトレンズ群で発生する偏芯収差を効果的に補正できるため、好ましい。更に、偏芯収差補償レンズ群１、２が、条件式（３）を満たすと良い。
【００３４】
｜fisC1｜ > ｜fisC2｜・・・（３）
・  fisC1 ：偏芯収差補償レンズ群1の焦点距離
・  fisC2 ：偏芯収差補償レンズ群２の焦点距離
条件式（３）を逸脱した場合、シフトレンズ群よりもｈが高い側の偏芯補償レンズ群のパワーが大きくなり過ぎるため、防振レンズ群自体をノンパワーとするべく、シフトレンズ群のパワーも大きくする必要が生じ、防振時の収差変動が大きくなってしまう。更に、偏芯収差補償レンズ群2は、前述したように主光学系の最終レンズ群と、その役割を分担できるため、2枚以下の枚数で構成することが、防振コンバータの小型軽量化のために好ましい。
【００３５】
以下、本発明の実施形態について、図面を参照しながら説明する。図1、図5は、本発明における実施形態１、2の主光学系の断面図である。図2、図6は、本発明における実施形態１、2の、防振コンバータ装着時の断面図である。図3、図7は、本発明における実施形態１、2の主光学系の物体距離無限時の収差図である。図4、図8は、本発明における実施形態１、2の、防振コンバータ装着時の物体距離無限時の収差図である。
【００３６】
それぞれの収差図は、左から順に、球面収差（軸上色収差）、非点収差、歪曲、倍率色収差を表している。球面収差と倍率色収差を示す図において、実線はｄ線（587.6nm）、破線はｇ線（435.8nm）を表している。また、非点収差を示す図において、実線はｄ線のサジタル方向、破線はｄ線のメリディオナル方向を表している。また、歪曲を示す図は、ｄ線における歪曲を表している。
【００３７】
数値実施例1a、2aに、実施形態1、2の主光学系のレンズデータを示す。また、数値実施例1ｂ、2ｂに、実施形態1、2の防振コンバータ装着時のレンズデータを示す。これらの数値実施例では、物体側からの各面の順序、各光学面の曲率半径ｒ、各光学面の間隔ｄ、各光学部材のd線における屈折率nd、アッベ数νｄ、光線有効径を示している。また、焦点距離、Fナンバー等のスペックに加え、画角は全系の半画角、像高は半画角を決定する最大像高、レンズ全長は第１レンズ面から最終レンズ面までの距離、BFは最終レンズ面から像面までの長さを示している。
【００３８】
尚、以下に記載する数値実施例１、2のレンズデータに基づく、各条件式の計算結果を表１に示す。
【００３９】
（数値実施例１ａ）
単位 mm
面データ
面番号       r        d      nd         vd       有効径
1        293.446   16.85   1.48749    70.2      135.72
2       -545.990   22.00                        134.97
3        122.945   22.53   1.43387    95.1      119.60
4       -434.610    0.13                        117.93
5       -446.682    4.30   1.65412    39.7      117.65
6        229.820   25.00                        110.77
7         91.205   13.71   1.43387    95.1       96.78
8        355.990    1.00                         94.79
9         75.833    6.00   1.48749    70.2       85.44
10         55.094   28.61                         76.86
11       11048.078   6.72   1.80809    22.8       68.63
12       -161.519    2.60   1.76200    40.1       67.60
13        125.755   85.86                         63.84
14(絞り)    ∞      69.37                         44.45
15        201.817    4.53   1.83400    37.2       42.49
16       -186.341   20.40                         42.48
17       -114.230    1.90   1.80809    22.8       39.14
18       1343.604    4.36                         39.45
19          ∞       2.20   1.51633    64.1       50.00
20          ∞      
各種データ
焦点距離     392.50  
Fナンバー      2.92  
画角           3.16  
像高          21.64  
レンズ全長   379.64  
BF            41.57  
レンズ群データ
群  始面    焦点距離  レンズ構成長  前側主点位置  後側主点位置
1    1     221.30       111.52         3.21        -81.37
2   11    -175.56        95.18         5.34        -85.72
3   15     433.38        33.39       -70.85        -87.20
（数値実施例１ｂ）
単位 mm
面データ
面番号       r        d      nd         vd       有効径
1        293.446   16.85   1.48749    70.2      135.72
2       -545.990   22.00                        134.97
3        122.945   22.53   1.43387    95.1      119.60
4       -434.610    0.13                        117.93
5       -446.682    4.30   1.65412    39.7      117.65
6        229.820   25.00                        110.77
7         91.205   13.71   1.43387    95.1       96.78
8        355.990    1.00                         94.79
9         75.833    6.00   1.48749    70.2       85.44
10         55.094   28.61                         76.86
11       11048.078   6.72   1.80809    22.8       68.63
12       -161.519    2.60   1.76200    40.1       67.60
13        125.755   85.86                         63.84
14(絞り)    ∞       2.00                         44.45
15        100.212   13.11   1.66998    39.3       43.40
16        -53.209    2.00   1.84666    23.8       41.86
17       -359.163    2.00                         40.49
18       -508.417    5.14   1.84666    23.8       39.97
19        -59.973    1.70   1.51823    58.9       39.45
20        104.615    4.04                         37.91
21       -118.208    1.63   1.83481    42.7       37.75
22         83.809    3.00                         37.08
23         93.034    6.13   1.48749    70.2       37.45
24        -88.446   28.62                         37.69
25        201.817    4.53   1.83400    37.2       42.49
26       -186.341   20.40                         42.48
27       -114.230    1.90   1.80809    22.8       39.14
28       1343.604    4.36                         39.45
29          ∞       2.20   1.51633    64.1       50.00
30          ∞     
各種データ
焦点距離     392.50  
Fナンバー      2.92  
画角           3.16  
像高          21.64  
レンズ全長   379.64  
BF            41.56  
レンズ群データ
群  始面    焦点距離  レンズ構成長  前側主点位置  後側主点位置
1    1     221.30       111.52         3.21        -81.37
2   11    -175.56        95.18         5.34        -85.72
3   15    -2642.16        38.75       179.74        140.99
4   25     433.38        33.39       -70.85        -87.20C1   15     173.50        15.11        -0.86         -9.77
IS   18     -54.65        12.51         8.12         -0.66
C2   23      94.05         6.13         2.14         -2.03 
（数値実施例２ａ）
単位 mm
面データ
面番号       r        d      nd         vd       有効径
1        241.234   11.59   1.48749    70.2      103.51
2       -449.843   10.00                        102.94
3        105.864   16.84   1.43387    95.1       95.40
4       -354.007    0.13                         94.25
5       -371.617    4.30   1.65412    39.7       93.99
6        211.270   10.00                         89.28
7         71.653   11.05   1.43387    95.1       82.61
8        196.632    1.00                         81.18
9         80.106    6.00   1.48749    70.2       76.28
10         49.934   23.79                         67.93
11        395.277    6.72   1.80809    22.8       59.55
12       -138.591    2.60   1.85026    32.3       58.69
13        133.373   81.04                         55.81
14(絞り)    ∞      42.73                         35.32
15        152.350    4.26   1.85026    32.3       38.34
16       -140.081   14.79                         38.34
17        -85.099    1.90   1.80809    22.8       34.86
18        304.699    2.50                         35.09
19          ∞       2.20   1.51633    64.1       50.00
20          ∞     
各種データ
焦点距離     300.13  
Fナンバー      2.99  
画角           4.12  
像高          21.64  
レンズ全長   294.80  
BF            41.36  
レンズ群データ
群  始面    焦点距離  レンズ構成長  前側主点位置  後側主点位置
1    1     203.46        70.91       -17.36        -62.65
2   11    -218.89        90.36         7.40        -78.84
3   15     598.56        25.65      -116.33       -116.50
（数値実施例２ｂ）
単位 mm
面データ
面番号       r        d      nd         vd       有効径
1        241.234   11.59   1.48749    70.2      103.51
2       -449.843   10.00                        102.94
3        105.864   16.84   1.43387    95.1       95.40
4       -354.007    0.13                         94.25
5       -371.617    4.30   1.65412    39.7       93.99
6        211.270   10.00                         89.28
7         71.653   11.05   1.43387    95.1       82.61
8        196.632    1.00                         81.18
9         80.106    6.00   1.48749    70.2       76.28
10         49.934   23.79                         67.93
11        395.277    6.72   1.80809    22.8       59.55
12       -138.591    2.60   1.85026    32.3       58.69
13        133.373   81.04                         55.81
14(絞り)    ∞       2.00                         35.32
15         61.614    8.01   1.60562    43.7       35.63
16        -53.060    2.00   1.84666    23.8       35.49
17       -331.084    2.00                         35.22
18      -2420.479    4.40   1.84666    23.8       35.26
19        -55.475    1.70   1.48749    70.2       35.14
20         57.878    4.07                         35.38
21       -100.427    1.63   1.80400    46.6       35.37
22         58.710    3.00                         35.81
23         68.920    8.93   1.51742    52.4       36.12
24        -38.360    2.00   1.84666    23.8       36.35
25        -57.669    3.00                         36.90
26        152.350    4.26   1.85026    32.3       38.34
27       -140.081   14.79                         38.34
28        -85.099    1.90   1.80809    22.8       34.86
29        304.699    2.50                         35.09
30          ∞       2.20   1.51633    64.1       50.00
31          ∞  
各種データ
焦点距離     292.63  
Fナンバー      2.91  
画角           4.23  
像高          21.64  
レンズ全長   294.81  
BF            41.36  
レンズ群データ
群  始面    焦点距離  レンズ構成長  前側主点位置  後側主点位置
1    1     203.46        70.91       -17.36        -62.65
2   11    -218.89        90.36         7.40        -78.84
3   15    -8213.04        37.73       349.45        306.44
4   26     598.56        25.65      -116.33       -116.50C1   15     126.17        10.01        -0.89         -6.94
IS   18     -41.44        11.80         8.00         -0.51
C2   23      74.92        10.93         3.94         -3.25 
【００４０】
【表１】
2015028555.tif 000003
【００４１】
以下、実施形態における詳細な構成について説明する。
【００４２】
（実施形態1）
実施形態1の主光学系は、物体側より順に、正の第１レンズ群、フォーカスで駆動する負の第2レンズ群、絞り、正の第3レンズ群の順に構成されている。また、防振コンバータレンズ群は、絞りと正の第3レンズ群の間に挿入される。防振コンバータレンズ群は、条件式（1）と（2）を共に満たしており、挿入前後で焦点距離やＦＮＯ等のスペック変化がなく、また主光学系とバックフォーカスも不変としている。
【００４３】
次に、防振コンバータレンズ群の構成は、正負の接合レンズから成る偏芯収差補償群1、正負の接合と負レンズより成り、光軸に対して垂直方向に偏芯することで防振を行うシフトレンズ群、正の単レンズより成る偏芯収差補償群2より成っている。それにより、軸上光束と軸外光束の偏芯収差を共に良好に満たすと共に、防振コンバータレンズ群の小型軽量化も同時に達成している。
【００４４】
（実施形態2）
実施形態2の主光学系は、物体側より順に、正の第１レンズ群、フォーカスで駆動する負の第2レンズ群、絞り、正の第3レンズ群の順に構成されている。また、防振コンバータレンズ群は、絞りと正の第3レンズ群の間に挿入される。防振コンバータレンズ群は、条件式（1）と（2）を共に満たしており、挿入前後で焦点距離やＦＮＯ等のスペック変化がなく、また主光学系とバックフォーカスも不変としている。
【００４５】
次に、防振コンバータレンズ群の構成は、正負の接合レンズから成る偏芯収差補償群1、正負の接合と負レンズより成り、光軸に対して垂直方向に偏芯することで防振を行うシフトレンズ群、正負の接合レンズより成る偏芯収差補償群2より成っている。それにより、軸上光束と軸外光束の偏芯収差を共に良好に満たすと共に、防振コンバータレンズ群の小型軽量化も同時に達成している。
【００４６】
以上、本発明の好ましい光学系の実施例について説明したが、本発明はこれらの実施例に限定されないことは言うまでもなく、その要旨の範囲内で種々の変形及び変更が可能である。
【符号の説明】
【００４７】
ＳＰ：絞り
ＩＰ：撮像面
Ｌ1〜L4：第1レンズ群〜第4レンズ群
ISC：防振コンバータレンズ群
Ｃ1、Ｃ2：偏芯収差補償レンズ群1、２
ＩＳ：シフトレンズ群
Focus：フォーカシングで移動する群と、その移動方向
【図１】
2015028555.tif 000004
【図２】
2015028555.tif 000005
【図３】
2015028555.tif 000006
【図４】
2015028555.tif 000007
【図５】
2015028555.tif 000008
【図６】
2015028555.tif 000009
【図７】
2015028555.tif 000010
【図８】
2015028555.tif 000011